(57)【要約】      （修正有）【課題】上昇キー構造物を備えるキーボードを提供する。【解決手段】本体、キーキャップ、基板、第一位置と第二位置との間で基板に対して第一方向で可動するスライダー、第一方向に可動の第一端とキーキャップに接続された第二端を含む第一ロッド、基板を接続する第三端及びキーキャップを可動に接続する第四端を含む第一ロッドに接続される第二ロッド、およびキー構造物が常態にあり、スライダーが第一位置にある時、基板に対して第一高度に位置されスライダーが第一位置から第二位置に動いた時、第一ロッドはスライダーによって押し動かされ、キーキャップは基板に向かって第一高度より低い第二高度に下がり押圧常態に位置されるスライダーと第一ロッドを接続する弾性部材を含むキー構造物。【選択図】図２ａ
2005302018.tif 000002
【特許請求の範囲】
【請求項１】
本体、
キーキャップ、
基板、
第一位置と第二位置の間で前記基板に対して第一方向に可動するスライダー、
第一方向に可動な第一端と前記キーキャップに接続された第二端を含む第一ロッド、
前記基板を接続する第三端及び前記キーキャップを可動に接続する第四端を含む、前記第一ロッドに接続された第二ロッド、および
前記キー構造物が常態にあり、前記スライダーが前記第一位置にある時に前記基板に対して第一高度に位置され、前記スライダーが前記第一位置から前記第二位置に動いた時に前記第一ロッドは前記スライダーによって押し動かされ、前記キーキャップは、前記基板に向かって前記第一高度より低い第二高度に下がり、キー構造物が押圧常態に位置される、前記スライダーと前記第一ロッドとを接続する弾性部材を含むキー構造物。
【請求項２】
前記スライダーは、前記第一ロッドに隣接する隣接部を含み、前記第一端を前記第一方向に押し動かす請求項１に記載のキー構造物。
【請求項３】
前記隣接部は前記第一ロッドに隣接し、前記キー構造物が常態にある時、前記弾性部材が延伸されると共にプレテンション力を提供する請求項２に記載のキー構造物。
【請求項４】
前記隣接部は継続的に前記第一ロッドに隣接し、前記弾性部材は前記常態から前記押圧常態へのプロセス中継続的に前記プレテンション力を提供する請求項２に記載のキー構造物。
【請求項５】
前記スライダーが前記第一位置から前記第二位置に動く時、前記隣接部は、継続的に前記第一ロッドに隣接する請求項２に記載のキー構造物。
【請求項６】
前記キーキャップが前記常態から前記基板に向けて押圧された時、前記弾性部が延伸されると共に前記プレテンション力を超える復元力を働かせる請求項３に記載のキー構造物。
【請求項７】
前記復元力と前記基板は、４５°より小さい角度を形成する請求項６に記載のキー構造物。
【請求項８】
前記弾性部材は、バネを含む請求項１に記載のキー構造物。
【請求項９】
前記弾性部材は、前記第一と第二位置の間でスライダーと共に動く請求項１に記載のキー構造物。
【請求項１０】
前記キー構造物が前記常態にある時、前記スライダーは、それによって前記第一位置に制限されるスイッチ構造を更に含む請求項１に記載のキー構造物。
【請求項１１】
前記第一端は、前記基板に可動に接続される請求項１に記載のキー構造物。
【請求項１２】
前記基板は、前記第一端に可動に接続される第一接続部と、前記第三端に軸接続された第二接続部を含む請求項１１に記載のキー構造物。
【請求項１３】
前記第一接触部は第一開孔を貫通し、前記第二接触部は第二開孔を貫通する前記スライダーの開孔の間に配置される回路膜アセンブリを更に含む請求項１２に記載のキー構造物。
【請求項１４】
前記第一ロッドは、前記キーキャップが前記基板に向けて押圧された時、前記回路膜アセンブリに接触する第一接触部を含む請求項１３に記載のキー構造物。
【請求項１５】
前記第一端は、前記スライダーに可動に接続する請求項１に記載のキー構造物。
【請求項１６】
基板、
複数のキー構造物を含むキーボードであって、
各キー構造物は、
キーキャップ、
第一位置と第二位置の間で前記基板に対して第一方向に可動するスライダー、前記第一方向に可動な第一端と前記キーキャップに接続した第二端を含む第一ロッド、および
第三端と第四端を含み、前記第三端は前記基板に接続し、前記第四端は前記キーキャップに可動に接続する前記第一ロッドに接続される第二ロッドを含み、      
前記スライダーが第一位置にある時、前記キー構造物は常態の位置にあり、前記キーキャップは前記基板に対して第一高度に位置され、前記スライダーが前記第一位置から前記第二位置に動いた時、前記第一ロッドは前記スライダーによって押し動かされ、前記キーキャップは前記基板に向かって前記第一高度より低い第二高度に下がり、前記キー構造物は押圧常態となる前記スライダーと前記第一ロッドを接続する弾性部材を含むキーボード。
【請求項１７】
前記スライダーは、前記第一ロッドに隣接し、前記第一端を前記第一方向に押し動かす隣接部を含む請求項１６に記載のキー構造物。
【請求項１８】
前記キーキャップが前記常態から前記基板に向けて押圧された時、前記弾性部材が延伸されると共に復元力を働かせ、前記キー構造物を前記常態に戻す請求項１６に記載のキー構造物。
【請求項１９】
前記復元力と前記基板は、４５°より小さい角度を形成する請求項１８に記載のキー構造物。
【請求項２０】
前記弾性部材は、前記第一と第二位置の間で前記スライダーと共に動く請求項１６に記載のキー構造物。
【請求項２１】
前記スライダー上にスライド板を更に含む請求項１６に記載のキー構造物。
【請求項２２】
前記キー構造物が前記常態にある時、前記スライダーを前記第一位置に制限するスイッチ構造を更に含む請求項１６に記載のキー構造物。
【請求項２３】
前記第一端は、前記スライダーを可動に接続する請求項１６に記載のキー構造物。
【請求項２４】
前記弾性部材は、バネを含む請求項１６に記載のキー構造物。
【請求項２５】
前記第一ロッドと前記弾性部材とを接続する前記スライダーに接触する接続部材を更に含む請求項１６に記載のキー構造物。
【請求項２６】
前記第一ロッドに軸接続する軸接続部を更に含む請求項２５に記載のキー構造物。
【請求項２７】
前記接続部は、前記スライダーに接触する接触部を更に含む請求項２５に記載のキー構造物。
【請求項２８】
前記キー構造物が常態にある時、前記弾性部材は延伸されると共に前記プレテンション力を提供する請求項２５に記載のキー構造物。
【請求項２９】
前記キー構造物が押圧状態にある時、前記弾性部材は延伸されると共に前記プレテンション力を提供する請求項２５に記載のキー構造物。
【請求項３０】
前記弾性部材は延伸されると共に、前記常態から前記押圧常態に継続的に前記プレテンション力を提供する請求項２５に記載のキー構造物。
【請求項３１】
キーキャップに復元力を働かせる弾性構造であって、
基板、
前記基板に可動に接続した第一端を含む第一ロッド、
前記基板に接続した第二ロッド、および
第一位置から第二位置の間で前記基板に対して第一方向に可動するスライダーを含み、
前記弾性構造が常態にあり、前記スライダーが前記第一位置に位置された時、前記第一と第二ロッドは第一角度を形成し、前記スライダーが前記第一位置から前記第二位置に動いた時、前記第一ロッドは前記スライダーによって押し動かされ、前記第一と第二ロッドは前記第一角度を超える第二角度を形成し、前記キー構造物は押圧常態となる前記スライダーと前記第一ロッドを接続する弾性部材を含む弾性構造。
【請求項３２】
前記スライダーが前記第一端を前記第一方向に押し動かすように前記第一ロッドに隣接する隣接部を含む請求項３１に記載の弾性構造。
【請求項３３】
前記キーキャップが前記常態から前記基板に向けて押圧された時、前記弾性部材は延伸されると共に前記キーキャップに復元力を働かせる請求項３１に記載の弾性構造。
【請求項３４】
前記復元力と前記基板は、４５°より小さい角度を形成する請求項３３に記載のキー構造物。
【請求項３５】
前記第一ロッドは更に第二端を含み、前記第二ロッドは更に第四端を含み、前記復元力は前記第二と第四端を通して前記キーキャップに働き、前記キー構造物を前記常態に戻す請求項３３に記載のキー構造物。
【発明の詳細な説明】
【技術分野】
【０００１】
本発明は、キーボードに関し、特に、上昇キーを備えるキーボードに関するものである。
【背景技術】
【０００２】
図１（ａ）は従来のキー構造物（米国特許第５８７４６９６号）を示し、スライダーＳを第一方向Ａに動かすことによって垂直に押圧することができる。図１（ａ）の従来のキー構造物は主に、基板Ｂ、第一ロッドＬ１、第二ロッドＬ２、ラバードームＥ、スライダーＳとキーキャップＫを含む。第一ロッドＬ１は、第一端Ｌ１１と第二端Ｌ１２を有し、第二ロッドＬ２は、第三端Ｌ２３と第四端Ｌ２４を有する。第一ロッドＬ１と第二ロッドＬ２とは、ヒンジＰによって軸接続される。図１（ａ）と１（ｂ）に示すように、第一と第四端Ｌ１１とＬ２４は、可動であり、それぞれ基板ＢとキーキャップＫに軸接続される。第二及び第三端Ｌ１２及びＬ２３は、それぞれキーキャップＫと基板Ｂに軸接続される。
【０００３】
スライダーＳが図１（ａ）の第一位置Ａ１から図１（ｂ）の第二位置Ａ２に動いた時、スライダーＳは第一端Ｌ１１を第一方向Ａに押し動かす。キーキャップＫは、そのため高度Ｈから高度Ｈ’に押圧され、キー構造物は押圧された状態になる。この従来のキー構造物は通常、ラップトップコンピュータに用いられている。キーボードは普通に用いることもでき、スライダーＳをシフトして小型化することもできる。
【０００４】
スライダーＳが第一方向Ａに第一ロッドＬ１を押し動かした時、キー構造物は、図１（ａ）の常態から図１（ｂ）の押圧状態に下がる。しかし、キーキャップＫが圧迫したラバードームＥであるために基板Ｂに垂直な上方に向かう弾力を必然的に働かせることから、スライダーＳをシフトしてキーキャップＫを押圧するのが難しくなる。また、キー構造物が長時間図１（ｂ）のように押圧状態に位置付けられることがあることにより、長期にわたる変形からラバードームＥの効用寿命を短縮させてしまう。
【０００５】
【特許文献１】米国特許第５８７４６９６号
【発明の開示】
【発明が解決しようとする課題】
【０００６】
上昇キー構造物を備えるキーボードを提供する。
【課題を解決するための手段】
【０００７】
キーの模範的な実施例は、キーキャップ、基板、スライダー、弾性部材、第一ロッド及び第二ロッドを含む。スライダーは、第一位置と第二位置との間で前記基板に対して第一方向に可動する。第一ロッドは第一方向に可動な第一端とキーキャップに接続された第二端を含む。第二ロッドは第一ロッドを接続し、第三端と第四端とを含む。前記第三端は前記基板を接続し、前記第四端は前記キーキャップを可動に接続する。弾性部材はスライダーと第一ロッドを接続する。キー構造物が、スライダーが第一位置に位置される常態にある時、キーキャップは基板に対して第一高度に位置される。スライダーが第一位置から第二位置に動いた時、第一ロッドはスライダーによって第一方向に押し動かされると共にキーキャップは基板に向かって第一高度より低い第二高度に下がり、キー構造物は押圧常態となる。
【０００８】
キーボードの模範的な実施例は基板と複数のキー構造物を含む。各キー構造物は、キーキャップ、スライダー、弾性部材及び第一ロッドと第二ロッドとを含む。スライダーは第一位置と第二位置との間で基板に対して第一方向に可動する。第一ロッドは第一方向に可動な第一端とキーキャップに接続した第二端とを含む。第二ロッドは第一ロッドに接続し、第三端と第四端とを含む。第三端は基板に接続し、第四端はキーキャップを可動に接続する。弾性部材はスライダーと第一ロッドとに接続する。スライダーが第一位置にある時、キー構造物は常態の位置にあり、キーキャップは基板に対して第一高度に位置される。スライダーが第一位置から第二位置に動いた時、第一ロッドはスライダーによって第一方向に押し動かされ、キーキャップは基板に向かって第一高度より低い第二高度に下がり、キー構造物は押圧常態となる。
【０００９】
キーキャップに復元力を働かせる弾性構造の模範的な実施例は、基板、スライダー、弾性部材、第一ロッド及び第二ロッドを含む。第一ロッドは基板に可動に接続した第一端を含む。第二ロッドは第一ロッドを接続し、基板に接続された第三端を含む。スライダーは第一位置から第二位置の間で基板に対して第一方向に可動する。弾性部材はスライダーと第一ロッドとを接続する。スライダーが第一位置にあり、弾性構造が常態で位置する時、第一及び第二ロッドは、第一角度を形成する。スライダーが第一位置から第二位置に動いた時、第一ロッドはスライダーによって第一方向に押し動かされ、第一及び第二ロッドは第一角度より大きい第二角度を形成し、キー構造物は押圧常態となる。
【発明の効果】
【００１０】
本発明では、上昇キー構造物と複数の上昇キー構造物を備えたキーボードが模範的な実施例に基づいて提供される。本発明の上昇キー構造物を備えたキーボードによれば、ラップトップコンピューターに応用することができ、より容易な操作と小型化を提供することができる。
【発明を実施するための最良の形態】
【００１１】
本発明についての目的、特徴、長所が一層明確に理解されるよう以下に実施形態を例示し、図面を参照にしながら詳細に説明する。
【実施例】
【００１２】
図２（ａ）と２（ｂ）に上昇キー構造物の模範的な実施例を示し、主として弾性構造Ｑとキーキャップ６０とを含む。弾性構造Ｑはキーキャップ６０を垂直に押し上げる弾力を提供する。ある実施例では、複数の上昇キー構造物はラップトップコンピュータのキーボードに用いることもできる。
【００１３】
図２（ａ）では、第一ロッド４０とスライダーＳとは、例えばバネの弾性部材Ｒによって接続される。図２（ａ）に示すように常態のキー構造物の時、スライダーＳは第一位置Ｘ１に位置される。この常態において、キー構造物は普通に操作することができ、第一及び第二ロッド４０及び５０は第一角度ａを形成し、キーキャップ６０は基板１０に対して第一高度Ｈに位置される。図２（ａ）に示すように弾性部材Ｒは、延伸されると共に第一ロッド４０にプレテンション力ｆを働かせる。スライダーＳの隣接部Ｓ３は弾力によって第一ロッド４０に接するため、常態でキー構造物を維持する。キーキャップ６０が図２（ｃ）に示すように外力によって下方へ押圧された時、弾性部材Ｒは更に延伸されると共に復元力Ｆを提供し、キー構造物を図２（ａ）に示すように常態に戻す。
【００１４】
キー構造物が図２（ａ）の状態から図２（ｃ）の状態に下方に押圧された時、スライダーＳは第一位置Ｘ１に留まる。弾性部材Ｒは更に延伸されると共に、プレテンション力ｆより大きい復元力Ｆを第一ロッド４０に働かせる。具体的に言えば、復元力Ｆと基板１０は図２（ｄ）に示すように４５°以下のわずかな角度を形成する。弾性部材Ｒは水平弾力Ｆｈと垂直弾力Ｆｖを働かせ、キーキャップ６０を上昇させる。
【００１５】
使用後にキー構造物を押圧するには、スライダーＳを図２（ａ）の第一位置Ｘ１から図２（ｂ）の第二位置Ｘ２にシフトすることでキーキャップ６０を第一高度Ｈから第二高度Ｈ’に下げる。図２（ｂ）で第一及び第二ロッド４０及び５０は第二角度ｂを形成し、ｂ＞ａである。図２（ａ）の状態から図２（ｂ）の状態にするにはスライダーＳが隣接部Ｓ３を通して第一端４１を第一方向Ａに押し動し、弾性部材Ｒはわずかな延伸を維持し、継続的に第一ロッド４０にプレテンション力ｆを提供する。
【００１６】
キーキャップ６０はまた、第二位置Ｘ２から第一位置Ｘ１のスライダーＳの逆の動作によって図２（ｂ）の押圧状態から図２（ａ）の常態に上昇することもできる。弾性部材Ｒをそれ以上変形せずに、弾性部材Ｒが常態と押圧状態間を水平にスライダーＳと動かされることから、図１ａと１ｂに示した従来のキー構造物より強く、使い易い。
【００１７】
図２（ｅ）に示すように、上昇キー構造物の模範的な実施例は主として、基板１０、回路膜アセンブリ２０、第一ロッド４０、第二ロッド５０、キーキャップ６０、弾性部材Ｒ及びスライダーＳを含む。基板１０は第一と第二接続部１０１と１０３とを含み、それぞれ回路膜アセンブリ２０の第一開口１０１’と第一開口１０３’とを通る。
【００１８】
第一及び第二ロッド４０及び５０はヒンジ５０１によって軸接続される。第一ロッド４０は可動な第一端４１を有し第一接続部１０１に軸接続され、第二端４２はキーキャップ６０に軸接続される。第二ロッド５０は第二接続部１０３に軸接続された第三端５３を有する。第二端５４は可動であり、キーキャップ６０に軸接続される。具体的にいえば、スライダーＳと第一ロッド４０とは、例えばバネの弾性部材Ｒによって接続される。図２（ｅ）に示すように、スライダーＳは第一ロッド４０に隣接する隣接部Ｓ３を有する。
【００１９】
図２（ｆ）、３（ａ）と３（ｂ）ではスライダーＳが第一位置Ｘ１の時を示し、弾性部材Ｒは延伸されると共に第一ロッド４０にプレテンション力を働かせる。隣接部Ｓ３は弾力によって第一ロッド４０に接する。図２（ｆ）において、第一端４１は第一接続部１０１によって位置Ｘ４１１に限定される。この状態は、キー構造物が第一と第二ロッド４０と５０によって形成されたハサミ状支え構造を備えた常態であり、キーキャップ６０は図３（ｂ）に示すように第一高度Ｈに位置される。
【００２０】
図４（ａ）と４（ｂ）はキーキャップ６０が外力によって下方に押圧された時を示し、スライダーＳは第一位置Ｘ１に留まり、第一端４１は第一方向Ａ（Ｘ軸に沿って）に動く。キーキャップ６０は高度Ｈから高度Ｈ’にさがって接触し、回路膜アセンブリ２０のスイッチ回路をアクティブにする。スライダーＳが第一位置Ｘ１に静止していることから、弾性部材Ｒはキーキャップ６０が外力によって下方へ押圧された時、更に伸長する。外力が解除された時、弾性部材Ｒからの復元力はキーキャップ６０を第一高度Ｈに戻す。
【００２１】
図５（ａ）と５（ｂ）に示すように、キー構造物はスライダーＳを第一方向Ａに第一位置Ｘ１から第二位置Ｘ２にシフトすることで最小化することができる。スライダーＳが第一ロッド４０を第一位置Ｘ１から第二位置Ｘ２に押し動かした時、キーキャップ６０は図５（ｂ）に示すように第二高度Ｈ’に押圧される。特に、スライダーＳが第一位置Ｘ１から第二位置Ｘ２に動いた時、隣接部Ｓ３は継続して第一ロッド４０に接し、弾性部材Ｒは延伸されると共に第一ロッド４０に一定のプレテンション力を提供する。
【００２２】
キーキャップ６０もまた、スライダーＳを逆に第二位置Ｘ２から第一位置Ｘ１にシフトすることで上昇することができる。第一ロッド４０がスライダーＳで引っぱられ弾性部材Ｒが第一方向Ａに逆になった時、第一端４１は図２（ｆ）に示すように位置Ｘ４１１に戻る。よって、キー構造物は図５（ｂ）の押圧状態から図３（ｂ）の常態に上昇される。図２（ｅ）に示すように、第一ロッド４０は更に接触部５１を有し、接触して回路膜アセンブリ２０のスイッチ回路５１’をアクティブにする。図４（ｂ）に示すように、キーキャップ６０が常態から下方へ押圧された時、接触部５１は接触してスイッチ回路５１’をアクティブにする。
【００２３】
図６（ａ）は、複数の上昇キー構造物を用いたキーボードの模範的な実施例である。キーボードはスイッチ部材Ｌとスライド板Ｍを含み、上昇キー構造物を切り替える。図６（ａ）に示すように、複数のスライダーＳはスライド板Ｍの上に配置される。スイッチ部材Ｌは基板１０の第一スロット１００とスライド板Ｍの先細になった第二スロットＭＯを貫通する。スイッチ部材Ｌ、第一及び第二スロット１００及びＭＯはキー構造物を切り替えることができるスイッチ構造を形成し、スイッチ部材Ｌは第一スロット１００で可動である。また、スイッチ部材Ｌもまた第二スロットＭＯの中の狭端ＭＯ’と広端ＭＯ”間で可動である。
【００２４】
キーボードのキーキャップ６０は、スライダーＳがスライド板ＭによってＸ軸に沿って動かされている時、第二スロットＭＯの中の狭端ＭＯ’と広端ＭＯ”間のスイッチ部材Ｌをシフトすることで図６（ｃ）の常態と図６（ｂ）の押圧状態の間で垂直に動くことができる。図６（ａ）と６（ｂ）に示すように、キーキャップ６０はスイッチ部材Ｌが狭端ＭＯ’から広端ＭＯ”に動かされた時に下がり、スライド板Ｍは第一方向Ａに可動する。しかし、キーキャップ６０はまたスイッチ部材Ｌを広端ＭＯ”から狭端ＭＯ’に動かすことによって、逆に図６（ｂ）の押圧状態から図６（ｃ）の常態に上昇することもできる。
【００２５】
具体的に言えば、スライド板Ｍはスイッチ部材Ｌが狭端ＭＯ’に位置された時、Ｘ軸に沿って動くことを制限された場合、キー構造物は通常、図６（ｃ）に示す状態で操作することができる。しかし第二スロットＭＯもまた、ライダーＳの上に配置することができ、よってＸ軸に沿った動きを防ぐ。スイッチ部材Ｌが広端ＭＯ”
に位置された時、スライド板Ｍは解除されＸ軸に沿って動くことができる。よって、キーボードを常態と押圧常態間で選択的に切り替えることができる。
【００２６】
図７は、上昇キー構造物のもう一つの模範的な実施例である。先の実施例との違いは、スライダーＳは二つのガイド部Ｓ４を有し図２（ｅ）の接合部１０１として働き、第一ロッド４０の第四端４１はガイド部Ｓ４に位置されＸ軸に沿って動くことができる。キーキャップ６０は常態と押圧状態間で選択的に上昇または押圧することができる。しかしガイド部Ｓ４もまた、図６（ａ）に示したスライド板Ｍ、またはキーボードのスライダーＳの上に配置することができる。
【００２７】
図８（ａ）と９（ａ）に示すように、上昇キー構造物の模範的な実施例は弾性部材Ｒと第一ロッド４０に接続する接続部材Ｃを含む。図９（ａ）では、接続部材Ｃは第一ロッド４０に軸接続したホックＣ１と、スライダーＳの隣接部Ｓ３に接する接触部Ｃ２を有する。キー構造物が図８（ａ）に示した常態にある時、スライダーＳは第一位置Ｘ１に位置し、隣接部Ｓ３は図９（ａ）に示すように接触部Ｃ２に接する。具体的に言えば、弾性部材Ｒはわずかに延伸されると共に第一ロッド４０にプレテンション力ｆを働かせる。
【００２８】
キー構造物は図８（ｂ）に示すように、第一方向Ａに沿って第一位置Ｘ１から第二位置Ｘ２にスライダーＳを動かすことによって押圧することができる。スライダーＳが第一方向Ａで第一ロッド４０の第一端４１に接し、押し動かすと、キーキャップ６０は第一高度Ｈから第二高度Ｈ’に下がる。Ｈ’＜Ｈである。図８（ａ）の状態から図８（ｂ）の状態は、一定のプレテンション力ｆが弾性部材によって継続して提供されている。
【００２９】
キー構造物が常態に位置された時、キーキャップ６０は外力によって図８（ａ）の状態から図８（ｃ）の状態に下方に押圧することができる。図８（ｃ）では、スライダーＳは第一位置Ｘ１に静止し、接続部材Ｃは第一ロッド４０によって第一方向Ａに引っぱられ、よって図９（ｂ）に示すようにスライダーＳから分離される。弾性部材Ｒは、更に延伸されると共に復元力Ｆを提供し、キーキャップ６０を昇圧する。Ｆ＞ｆである。
【００３０】
図８（ｃ）と図９（ｂ）に示すように、スライダーＳと接続部材Ｃが弾性部材Ｒによって接続された時、接続部材ＣはスライダーＳと分離することができ組立を簡易化することができる。また、接続部材Ｃが第一ロッド４０に軸接続された時、よって逆の摩擦を減少しキー構造物のより容易な操作を円滑にする。
【００３１】
以上、本発明の好適な実施例を例示したが、これは本発明を限定するものではなく、本発明の精神及び範囲を逸脱しない限りにおいては、当業者であれば行い得る少々の変更や修飾を付加することは可能である。従って、本発明が保護を請求する範囲は、特許請求の範囲を基準とする。
【図面の簡単な説明】
【００３２】
【図１】従来の上昇キー構造物の透視図である。
【図２ａ】常態での上昇キー構造物の模範的な実施例の透視図である。
【図２ｂ】押圧した上昇キー構造物の模範的な実施例の透視図である。
【図２ｃ】図２（ａ）の常態から押圧した上昇キー構造物の模範的な実施例の透視図である。
【図２ｄ】復元力Ｆと基板の間で形成された角度θの透視図である。
【図２ｅ】上昇キー構造物の模範的な実施例の立体分解図である。
【図２ｆ】常態での上昇キー構造物の模範的な実施例の透視図である。
【図３ａ】図２（ｆ）に基づいた常態での上昇キー構造物の上面図である。
【図３ｂ】図３（ａ）の上昇キー構造物の断面図である。
【図４ａ】図２（ａ）の常態から押圧した上昇キー構造物の模範的な実施例の上面図である。
【図４ｂ】図４（ａ）の上昇キー構造物の断面図である。
【図５ａ】押圧状態での上昇キー構造物の模範的な実施例の上面図である。
【図５ｂ】図５（ａ）の上昇キー構造物の断面図である。
【図６ａ】上昇キーを備えたキーボードの模範的な実施例の分解図である。
【図６ｂ】押圧状態でのキーボードの模範的な実施例の透視図である。
【図６ｃ】常態でのキーボードの模範的な実施例の透視図である。
【図７】上昇キー構造物の模範的な実施例の分解図である。
【図８ａ】常態での上昇キー構造物の模範的な実施例の透視図である。
【図８ｂ】押圧状態での上昇キー構造物の模範的な実施例の透視図である。
【図８ｃ】図８（ａ）の常態から押圧した上昇キー構造物の模範的な実施例の透視図である。
【図９ａ】弾性部材によって接続された接続部材とスライダーの模範的な実施例の透視図である。
【図９ｂ】弾性部材が図９（ａ）に基づいて延伸された時、スライダーから離された接続部材の透視図である。
【符号の説明】
【００３３】
１０  基板
１００  第一スロット
１０１  第一接続部
１０１’第一開口
１０３  第二接続部
１０３’第二開口
２０  回路膜アセンブリ
４０  第一ロッド
４１  第一端
４２  第二端
５０  第二ロッド
５０１  ヒンジ
５１  接触部
５１’スイッチ回路  
５３  第三端
５４  第四端
６０  キーキャップ
Ａ  第一方向
ａ  第一角度
Ａ１  第一位置
Ａ２  第二位置
ｂ  第二角度
Ｃ  接続部材
Ｃ１  ホック
Ｃ２  接触部
ｆ  プレテンション力  
Ｅ  ラバードーム
Ｆ  復元力
Ｆｈ  水平弾力
Ｆｖ  垂直弾力
Ｋ  キーキャップ
Ｌ  スイッチ部材
Ｍ  スライド板
ＭＯ  第二スロット
ＭＯ’狭端
ＭＯ”広端
Ｐ  ヒンジ
Ｑ  弾性構造
Ｒ  弾性部材
Ｓ  スライダー
Ｓ３  隣接部
Ｘ１  第一位置
Ｘ２  第二位置
【図１】
2005302018.tif 000003
【図２ａ】
2005302018.tif 000004
【図２ｂ】
2005302018.tif 000005
【図２ｃ】
2005302018.tif 000006
【図２ｄ】
2005302018.tif 000007
【図２ｅ】
2005302018.tif 000008
【図２ｆ】
2005302018.tif 000009
【図３ａ】
2005302018.tif 000010
【図３ｂ】
2005302018.tif 000011
【図４ａ】
2005302018.tif 000012
【図４ｂ】
2005302018.tif 000013
【図５ａ】
2005302018.tif 000014
【図５ｂ】
2005302018.tif 000015
【図６ａ】
2005302018.tif 000016
【図６ｂ】
2005302018.tif 000017
【図６ｃ】
2005302018.tif 000018
【図７】
2005302018.tif 000019
【図８ａ】
2005302018.tif 000020
【図８ｂ】
2005302018.tif 000021
【図８ｃ】
2005302018.tif 000022
【図９ａ】
2005302018.tif 000023
【図９ｂ】
2005302018.tif 000024